(57)【要約】【課題】使い勝手のよいボタン電話装置を提供する。【解決手段】ボタン電話装置１は、インターネット等のＩＰ網に接続可能なＩＰ回線やＩＳＤＮ回線等の電話番号を通知可能な外線Ｌａ〜Ｌｍに接続された主装置１０と、内線伝送路３０を介して主装置１０に接続された子機という２０ａ〜２０ｎとから構成される。子機２０ａ〜２０ｎから所定の発信操作を検出すると、主装置１０は、外線Ｉ／Ｆ１１を介して電話番号を外線Ｌａ〜Ｌｍの何れかの外線に送出した後、受信者から一次応答信号を受信すると、受信者に外線Ｉ／Ｆ１１を介して内線番号を送信する。【選択図】        図１
2004266554.tif 000002
【特許請求の範囲】
【請求項１】
回線に接続される主装置と、この主装置に収容される少なくとも１つの子機とから構成されるボタン電話装置において、
前記主装置は、
前記子機から電話番号および内線番号を回線へ送出指示する特定発信操作を検出する検出手段と、
前記検出手段が前記特定発信操作を検出すると、前記特定発信操作に基づき対応する電話番号を前記回線に送出する第１の発信処理手段と、
前記電話番号に対応する端末装置から前記電話番号の送出に対する一次応答信号を検出すると、前記特定発信操作に対応する内線番号を前記端末装置に送信する第２の発信処理手段と
を備えたことを特徴とするボタン電話装置。
【請求項２】
請求項１記載のボタン電話装置において、
前記主装置は、
少なくとも１つの電話番号と、この電話番号に対応する識別コードとが格納されるテーブルをさらに備え、
前記第１の発信処理手段は、前記検出手段が前記識別コードを含む前記特定発信操作を検出すると、前記テーブルから前記識別コードに対応する電話番号を検索し、この検索した電話番号を前記回線に送出する
ことを特徴とするボタン電話装置。
【請求項３】
請求項２記載のボタン電話装置において、
前記テーブルは、さらに前記内線番号が前記電話番号または前記識別コードのうち少なくとも一方に対応付けて格納される
ことを特徴とするボタン電話装置。
【請求項４】
請求項１記載のボタン電話装置において、
前記子機は、
前記電話番号および前記内線番号の入力を検出する子機検出手段と、
この子機検出手段が検出した前記電話番号および前記内線番号を前記主装置に送信する送信手段と
を備えたことを特徴とするボタン電話装置。
【発明の詳細な説明】
【０００１】
【発明の属する技術分野】
本発明は、ボタン電話装置に関し、特にシステム間接続機能を有するボタン電話装置に関する。
【０００２】
【従来の技術】
従来より、ダイレクト・イン・ダイヤル（ＤＩＤ）機能を有するボタン電話装置が知られている（例えば、特許文献１参照。）。このようなボタン電話装置におけるＤＩＤ機能について、図４を参照して説明する。図４は、ＤＩＤ機能の動作を説明するタイミングチャートである。一例として、発信側のボタン電話装置５０Ａの主装置６０ａに収容されている子機７０ａから、着信側のボタン電話装置５０Ｂの主装置６０ｂに収容されている子機７０ｂを呼び出す場合について説明する。
【０００３】
子機７０ａのＨＳ（Ｈａｎｄ  Ｓｅｔ）がオフフックにされ、ボタン電話装置５０Ｂの電話番号がダイヤルされる等の発信要求を検出すると（ステップＳ４０１）、発信側のボタン電話装置５０Ａの主装置６０ａは、外線側が要求するデータ形式のダイヤル信号を生成し、外線を介して発側交換機に送出する（ステップＳ４０２）。着信側のボタン電話装置５０Ｂの主装置６０ｂは、着側交換機から受信端末起動信号が到来すると、外線と直流ループを閉結、すなわち一次応答し（ステップＳ４０３）、内線番号の送信を求めるセカンドダイヤルトーンをボタン電話装置５０Ａの子機７０ｂに送出する（ステップＳ４０４）。発信側のボタン電話装置５０Ａの子機７０ａの利用者は、ＨＳからセカンドダイヤルトーンが聞こえてくると、発呼したい着信側のボタン電話装置５０Ｂの子機７０ｂの内線番号をダイヤルする。発信側のボタン電話装置５０Ａの主装置６０ａは、子機７０ａによりダイヤルされた内線番号（ＰＢ信号）を着信側のボタン電話装置５０Ｂに送出する（ステップＳ４０５）。内線番号のＰＢ信号を受信すると、着信側のボタン電話装置５０Ｂの主装置６０ｂは、その内線番号に対応する子機７０ｂに設けられたブザーを駆動して着信鳴動を行い（ステップＳ４０６）、発信側のボタン電話装置５０Ａの子機７０ａに呼出音を送出する（ステップＳ４０７）。
【０００４】
なお、出願人は、本明細書に記載した先行技術文献情報で特定される先行技術文献以外には、本発明に関連する先行技術文献を出願時までに発見するには至らなかった。
【０００５】
【特許文献１】
特開平７−２１２８０９号公報
【０００６】
【発明が解決しようとする課題】
ところが、ボタン電話装置同士を、回線を介して接続する所謂システム間接続を実現しボタン電話子機を呼び出す場合、上述したＤＩＤ機能を利用してボタン電話子機を呼び出すことが可能となる。
しかしながら、従来のＤＩＤ機能を利用して、所望する子機を呼び出すためには、相手先の電話番号をダイヤルし、一次応答の後に子機の内線番号を再びダイヤルするという２度のダイヤル入力操作が必要なので、とても使い勝手が悪かった。
本発明は、上述したような課題を解決するためになされたものであり、使い勝手のよいボタン電話装置およびボタン電話システムを提供することを目的とする。
【０００７】
【課題を解決するための手段】
上述したような課題を解決するために本発明のボタン電話装置は、回線に接続される主装置と、この主装置に収容される少なくとも１つの子機とから構成されるボタン電話装置において、主装置は、子機から電話番号および内線番号を回線へ送出指示する特定発信操作を検出する検出手段と、検出手段が特定発信操作を検出すると、特定発信操作に基づき対応する電話番号を回線に送出する第１の発信処理手段と、電話番号に対応する端末装置から電話番号の送出に対する一次応答信号を検出すると、特定発信操作に対応する内線番号を端末装置に送信する第２の発信処理手段とを備えたことを特徴とする。
【０００８】
本発明のボタン電話装置の１構成例として、主装置は、少なくとも１つの電話番号と、この電話番号に対応する識別コードとが格納されるテーブルをさらに備え、第１の発信処理手段は、検出手段が識別コードを含む特定発信操作を検出すると、テーブルから識別コードに対応する電話番号を検索し、この検索した電話番号を回線に送出するようにしてもよい。
上記ボタン電話装置において、テーブルは、さらに内線番号が電話番号または識別コードのうち少なくとも一方に対応付けて格納されるようにしてもよい。
【０００９】
本発明のボタン電話装置の１構成例として、子機は、電話番号および内線番号の入力を検出する子機検出手段と、この子機検出手段が検出した電話番号および内線番号を主装置に送信する送信手段とを備えるようにしてもよい。
【００１０】
【発明の実施の形態】
以下、図面を参照して本発明の実施の形態について詳細に説明する。図１は、本実施の形態にかかるボタン電話装置のブロック図である。同図において、ボタン電話装置１は、インターネット等のＩＰ（Ｉｎｔｅｒｎｅｔ  Ｐｒｏｔｏｃｏｌ）網に接続可能なＩＰ回線やＩＳＤＮ回線等の発信者番号を通知可能な回線（以下、外線という）Ｌａ〜Ｌｍに接続された主装置１０と、内線伝送路３０を介して主装置１０に接続されたボタン電話機（以下、子機という）２０ａ〜２０ｎとから構成される。
【００１１】
主装置１０は、終端接続する外線Ｌａ〜Ｌｍおよび主装置１０が要求するデータ形式に各種データおよび信号を生成・変換する外線Ｉ／Ｆ１１ａ〜１１ｍと、内線伝送路３０を介して子機２０（２０ａ〜２０ｎ）を収容する内線Ｉ／Ｆ１２と、外線Ｉ／Ｆ１１ａ〜１１ｍと内線Ｉ／Ｆ１２（すなわち、子機２０ａ〜２０ｎ）との通話パスを形成する通話路スイッチ１３と、装置全体を制御し着信や外線の使用状態等の検出を行う制御部１４と、制御部１４での制御に必要な情報を記憶する記憶部１５と、計時機能を有するタイマ１６とから構成される。
【００１２】
記憶部１５には、例えば図２に示すようなシステム番号テーブルが格納されている。図２は、システム番号テーブルを表す図である。システム番号テーブルには、システム番号、電話番号およびこの電話番号の相手先の名称等のデータがそれぞれ対応付けて格納された複数のレコードから構成される。
【００１３】
一方、子機２０（２０ａ〜２０ｎ）は、それぞれ同様の構成を有しており、内線伝送路３０を介して主装置１０とデータ伝送を行い送信手段を実現する伝送回路２１と、伝送回路２１で受信した音声データを音声信号に復号化して送受機ＨＳのスピーカＳＰから出力するとともに、送受機ＨＳのマイクＭＩＣから入力した音声信号を符号化して伝送回路２１へ出力する通話回路２２と、子機２０の各部を制御する子機制御部２３、子機制御部２３の処理に用いる制御情報を記憶する記憶部２４と、各種の情報を表示する表示部２５と、フックスイッチやダイヤルキー等の各種キーの操作を検出し子機検出手段を実現する操作部２６と、受話信号を拡声するブザー２７とから構成される。
【００１４】
以上のように構成されたボタン電話装置１において、システム間通信を行う場合の動作について、図３を参照して説明する。図３は、本実施の形態にかかるボタン電話装置におけるシステム間接続機能の動作を説明するタイミングチャートである。一例として、発信側のボタン電話装置１Ａの主装置１０ａに収容されている子機２０ａから、受信側のボタン電話装置１Ｂの主装置１０ｂに収容されている子機２０ｂを発呼する場合について説明する。ここで、ボタン電話装置１Ａおよび１Ｂは、それぞれ同等の構成を有するものとする。
【００１５】
利用者が子機２０ａの操作部２６を操作して所定の発信操作を行うと、子機制御部２３は、その所定の発信操作を検出し、伝送回路２１を介して主装置１０ａに発信操作情報を送信する（ステップＳ３０１）。
ここで、所定の発信操作とは、システム番号テーブルに含まれるボタン電話装置１Ｂに対応するシステム番号と、操作部２６に含まれる「＊」ボタンと、子機２０ｂの内線番号とを順にダイヤルすることを意味する。例えば、図２のシステム番号テーブルに含まれる田村電機（本社）の内線１２３４を呼び出す場合は、田村電機（本社）のシステム番号である「０１」と、「＊」と、内線番号である「１２３４」を順にダイヤルする。したがって、発信操作情報は、システム番号と、システム番号と内線番号とを区別する「＊」等の所定のコードと、内線番号とから構成される。
【００１６】
発信側の主装置１０ａの制御部１４は、内線Ｉ／Ｆ１２を介して発信操作情報を受信すると、この発信操作情報から「＊」の前にダイヤルされた部分、すなわちシステム番号に対応する部分を抽出し、この抽出したシステム番号に対応する電話番号を、記憶部１５に格納されているシステム番号テーブルから検索する。電話番号が検索されると、発信側の主装置１０ａの制御部１４は、その電話番号を外線Ｉ／Ｆ１１へ送信し、該当外線Ｌを捕捉させその捕捉外線Ｌを介して交換網側へその電話番号に対応するダイヤル発呼情報を送信させるとともに、通話路スイッチ１３を制御して捕捉外線Ｌと子機２０ａとの通話パスを接続する（ステップＳ３０２）。このとき、主装置１０ａの制御部１４は、発信操作情報から「＊」の後にダイヤルされた部分、すなわち内線番号に対応する部分を抽出して記憶部１５に記憶しておく。
【００１７】
交換網側から外線Ｌに発信側のボタン電話装置１Ａからの着信が到来すると、受信側のボタン電話装置１Ｂの主装置１０ｂの制御部１４は、外線Ｉ／Ｆ１１を介してその着信を検出し、この着信情報に含まれる発信者番号と記憶部１５のシステム番号テーブルとを比較する。
発信者番号がシステム番号テーブルに含まれている場合、受信側の主装置１０ｂの制御部１４は、一次応答信号を送出する（ステップＳ３０３）。この一次応答信号とは、アナログ回線の場合は、直流ループを閉結することに相当し、ＩＳＤＮ回線やＩＰ回線の場合は、応答メッセージ（ＣＯＮＮＥＣＴ）に相当する。
一方、発信者番号がシステム番号テーブルに含まれていない場合、受信側の主装置１０ｂの制御部１４は、一次応答信号を送出しない。
【００１８】
受信側のボタン電話装置１Ｂから一次応答信号を検出すると、発信側のボタン電話装置１Ａの主装置１０ａの制御部１４は、記憶部１５に記憶しておいた内線番号を外線Ｉ／Ｆ１１を介して受信側のボタン電話装置１Ｂに送出する（ステップＳ３０４）。
【００１９】
内線番号の情報を受信すると、受信側のボタン電話装置１Ｂの主装置１０ｂの制御部１４は、内線Ｉ／Ｆ１２を介して受信した内線番号に対応する子機２０ｂへ着信情報を送信し、子機２０ｂの呼出を行う（ステップＳ３０５）。ここで、受信側の主装置１０ｂの制御部１４は、記憶部１５のシステム番号テーブルから着信情報に含まれる発信者番号と対応付けられた相手先の名称を検索し、子機２０ｂに送出し、表示部２５に表示させるようにしてもよい。同様に、発信者番号、システム番号等を表示部２５に表示させるようにしてもよい。
【００２０】
子機２０ｂの呼出を行っている際、受信側のボタン電話装置１Ｂの主装置１０ｂの制御部１４は、ボタン電話装置１Ａの子機２０ａに対して、子機２０ｂを呼び出していることを意味する呼出音を送出するようにしてもよい（ステップＳ３０６）。
呼出に対し、子機２０ｂの利用者が操作部２６を操作して応答操作を行うと、この応答操作情報が主装置１０ｂへ送信される。受信側の主装置１０ｂの制御部１４は、内線Ｉ／Ｆ１２を介してこの応答操作情報を受信すると、外線Ｉ／Ｆ１１を制御して着信外線Ｌに応答させるとともに、通話路スイッチ１３を制御して着信応答外線Ｌと子機２０ｂとの通話パスを接続する。これにより、子機２０ａと子機２０ｂとの間で着信応答通話が行われる。
【００２１】
このように、本実施の形態によれば、電話番号と内線番号とを一度にダイヤルすると、先に電話番号を送出し、一次応答信号を受信後に内線番号を送出するため、電話番号と内線番号を別々にダイヤルしなくてよいので、使い勝手がよい。
【００２２】
なお、本実施の形態において、システム番号テーブルに、内線番号を格納するようにしてもよい。この場合、システム番号テーブルを構成するレコードには、システム番号、電話番号、この電話番号の相手先の名称等のデータおよび内線番号がそれぞれ対応付けて格納される。これにより、利用者が所定の発信操作としてシステム番号のみをダイヤルしても、発信側の主装置１０ａの制御部１４は、システム番号テーブルから電話番号と内線番号を検索することが可能となる。したがって、システム番号の入力のみという簡便な操作で相手先の所定の子機を呼び出すことが可能となるので、本実施の形態にかかるボタン電話装置は、使い勝手がよい。
【００２３】
また、本実施の形態において、発信操作情報に含まれる所定のコードは「＊」に限定されず、適宜自由に設定することができる。
また、所定の発信操作は上述したような方法に限定されず適宜自由に設定することができる。例えば、受信側のボタン電話装置１Ｂに対応する電話番号と、操作部２６に含まれる「＊」ボタンと、着信側の子機２０ｂの内線番号とを順にダイヤルするようにしてもよい。この場合、発信側の主装置１０ａの制御部１４は、内線Ｉ／Ｆ１２を介して発信操作情報を受信すると、この発信操作情報から「＊」の前にダイヤルされた部分、すなわち受信側のボタン電話装置１Ｂの電話番号に対応する部分を抽出し、この抽出した電話番号を外線Ｉ／Ｆ１１へ送信し、該当外線Ｌを捕捉させその捕捉外線Ｌを介して交換網側へダイヤル発呼情報を送信させるとともに、通話路スイッチ１３を制御して捕捉外線Ｌと子機２０ａとの通話パスを接続する。そして、受信側のボタン電話装置１Ｂから一次応答信号を検出すると、発信側の主装置１０ａの制御部１４は、「＊」ボタンの後にダイヤルされた内線番号を、外線Ｉ／Ｆ１１を介して受信側のボタン電話装置１Ｂに送出する。このようにしても、本実施の形態にかかるボタン電話装置は、電話番号と内線番号を別々にダイヤルしなくてよいので、使い勝手がよい。
【００２４】
また、本実施の形態において、外線Ｌにボタン電話装置１Ａからの着信が到来したボタン電話装置１Ｂがその外線Ｌに一次応答信号を送出し（図３：ステップＳ３０３）、この一次応答信号を送出した時から所定の時間内に発信側のボタン電話装置１Ａから受信側のボタン電話装置１Ｂに内線番号が送信されると（図３：ステップＳ３０４）、ボタン電話装置１Ｂは、その内線番号に対応する子機２０ｂへ着信情報を送信し、子機２０ｂの呼出を行うようにしてもよい。ここで、所定の時間は、タイマ１６により計測する。このようにしても、本実施の形態にかかるボタン電話装置は、電話番号と内線番号を別々にダイヤルしなくてよいので、使い勝手がよい。
【００２５】
上述した機能は、少なくとも受信側のボタン電話装置１Ｂがタイマ１６を備えていれば、実現することができる。また、外線Ｌａ〜Ｌｍが電話番号等を通知不可能な回線であっても実現することができる。さらに、ボタン電話装置１Ａ、１Ｂのいずれにもシステム番号テーブルが設けられていなくても実現することができる。ａ
【００２６】
なお、所定の時間内に内線番号が送られてこない場合、ボタン電話装置１Ｂの制御部１４は、内線Ｉ／Ｆ１２を介して全ての子機２０へ着信情報を送信し、全ての子機２０の呼出を行う。
【００２７】
【発明の効果】
以上説明したように、本発明によれば、電話番号と内線番号の入力を含む特定の発信操作を検出すると、電話番号を回線に送出し、回線から一次応答信号を受信した後に内線番号を回線に送出するため、電話番号と内線番号を別々に入力しなくてよいので、使い勝手がよい。
【図面の簡単な説明】
【図１】本実施の形態にかかるボタン電話装置のブロック図である。
【図２】システム番号テーブルを表す図である。
【図３】本実施の形態にかかるボタン電話装置におけるシステム間接続機能の動作を説明するタイミングチャートである。
【図４】システム間接続機能の動作を説明するタイミングチャートである。
【符号の説明】
１、１Ａ、１Ｂ…ボタン電話装置、１０、１０ａ、１０ｂ…主装置、１１、１１ａ〜１１ｍ…外線Ｉ／Ｆ、１２…内線Ｉ／Ｆ、１３…通話路スイッチ、１４…制御部、１５…記憶部、１６…タイマ、２０、２０ａ〜２０ｎ…子機、２１…伝送回路、２２…通話回路、２３…子機制御部、２４…メモリ、２５…表示部、２６…操作部、２７…ブザー、ＨＳ…Ｈａｎｄ  Ｓｅｔ、ＳＰ…スピーカ、ＭＩＣ…マイク。
【図１】
2004266554.tif 000003
【図２】
2004266554.tif 000004
【図３】
2004266554.tif 000005
【図４】
2004266554.tif 000006